(57)【特許請求の範囲】
【請求項１】
道路舗装機に舗装用混合物を搬送するフィーダ（Ｂ）であり、複数の作業組立体（Ｍ、Ｑ、５、１０）と、制御領域（１２）とを有する前記フィーダ（Ｂ）であって、自動モードが、前記制御領域上で少なくとも１つの前記作業組立体（Ｍ、Ｑ、５、１０）に対して設定されることができること、及びコンベヤ主スイッチ（１５）が設けられ、該スイッチの操作時に、自動モードに設定された全ての組立体（Ｍ、Ｑ、５、１０）が、其々所定の運転パラメータで起動されること、及び、前記フィーダ（Ｂ）の制御装置は、前記作業組立体（Ｍ、Ｑ、５、１０）を運転するための前記運転パラメータを記憶するメモリを有し、オーバライドスイッチ（１６）が、前記フィーダ（Ｂ）の搬送容量を最大値にするために前記制御領域（１２）に設けられ、該最大値が事前に設定できることを特徴とする、フィーダ。
【請求項２】
前記自動モードは、作業組立体に対して、又は複数の作業組立体（Ｍ、Ｑ、５、１０）其々に対して個別に設定されることができることを特徴とする、請求項１に記載のフィーダ。
【請求項３】
前記作業組立体（Ｍ、Ｑ、５、１０）は、１つ又は複数の搬送組立体、剥離機、掃除用ブラシ、散布システム、バイブレータ及び／又は加熱装置等を含むことを特徴とする、請求項１又は２に記載のフィーダ。
【請求項４】
前記作業組立体（Ｍ、Ｑ、５、１０）を運転するための運転パラメータは、設定及び／又は変更されることができることを特徴とする、請求項１乃至３のいずれか一項に記載のフィーダ。
【請求項５】
１つ又は様々な作業組立体（Ｍ、Ｑ、５、１０）の個々の運転パラメータ間の関係は、設定されることができることを特徴とする、請求項１乃至４のいずれか一項に記載のフィーダ。
【請求項６】
１つ又は複数の作業組立体（Ｍ、Ｑ、５、１０）の運転パラメータ群は、記憶され、共通の運転プログラムとしてメモリから検索されることができることを特徴とする、請求項１乃至５のいずれか一項に記載のフィーダ。
【請求項７】
表示フィールド（１３）が、前記制御領域（１２）に設けられることを特徴とする、請求項１乃至６のいずれか一項に記載のフィーダ。
【請求項８】
前記フィーダ（Ｂ）の前記搬送容量を比例的に変更することができる制御要素（１８）が、前記制御領域（１２）に設けられることを特徴とする、請求項１乃至７のいずれか一項に記載のフィーダ。
【発明の詳細な説明】
【技術分野】
【０００１】
本発明は、請求項１の導入部分に記載のフィーダに関する。
【背景技術】
【０００２】
この種のフィーダは欧州特許出願公開第２１１０３４１Ａ１号から得られるものである。また、同様のフィーダは独国実用新案登録第２９９１９２４２Ｕ１号、第２９９０２４１９Ｕ１号、第２９８１１２１２Ｕ１号、第２９８１２１１５Ｕ１号、第２９７１５４６７Ｕ１号、第２９５１７３４２Ｕ１号又は第２００２０９４５Ｕ１号からも知られている。
【０００３】
道路舗装機は、舗装混合物製、例えばコンクリート、瀝青質の舗装用混合物又はアスファルト製のコーティングを、広場、小道、街路に敷設するために使用される。そうした道路舗装機は、一定量の舗装混合物を貯留するための材料ホッパを有する。貯留容量が増加される場合、フィーダは、作業方向に見て道路舗装機の前に置かれる。このフィーダは、舗装混合物をフィーダの材料ホッパから道路舗装機の材料ホッパに輸送するために、コンベヤ装置だけでなく更なる材料ホッパを含む。搬送工程を向上させ、通常高温の舗装混合物が早く冷え過ぎたり、固まり過ぎたりするのを防ぐために、コンベヤ装置の他に、剥離機、バイブレータ又は加熱装置が、更なる作業組立体として設けられることがある。
【０００４】
不利な点は、従来のフィーダの運転は、オペレータが各作業組立体を別々に手動で調節する、及びスイッチを切／入する必要があるため、複雑である点である。その結果、フィーダの運転は、個々のオペレータの経験や技能に極めて左右される。その上、搬送容量を迅速に変更することは、複数の作業ユニットがその変更のために調節される必要があるため、殆ど不可能である。
【発明の概要】
【発明が解決しようとする課題】
【０００５】
本発明の目的は、設計に関する限り、出来るだけ簡単な手段を使用して、フィーダの使い勝手を大幅に向上させることである。
【課題を解決するための手段】
【０００６】
この目的を、特許請求項１の特徴を有するフィーダによって解決する。本発明の有利な更なる技術成果については、従属クレームで説明される。
【０００７】
本発明によると、自動モードは、少なくとも１つの作業組立体用の制御領域（制御卓とすることができる）で設定されることができるものとする。また、コンベヤ主スイッチが設けられ、該スイッチを操作すると、自動モードに設定された全ての組立体が、規定された運転パラメータで起動される。本発明の一利点は、運転対象の各作業組立体のオペレータは、該組立体を起動だけする必要があるものの、当該組立体に特有の運転パラメータを設定する必要はない点にある。それどころか、当該作業組立体は、予め規定された運転パラメータで自動的に運転される。更なる利点は、コンベヤ主スイッチが操作されると、自動モードに設定された全ての組立体が同時に起動される点にある。このようにして、全ての必要な作業組立体が起動されるまで、アイドリング状態にして又は応力に反して作業した状態にして、個々の作業組立体が始動せざるを得ない点は回避される。
【０００８】
好ましくは、自動モードは、作業組立体に対して個別に、又は複数の作業組立体（若しくは、全作業組立体）其々に対して個別に、設定されることができる。以下の三つの運転モードのみ、作業組立体に対して設定されることができると考えられる。
【０００９】
切：対象の組立体は、起動されない。
【００１０】
入：組立体は、予め規定されたパラメータ、例えば工場で予め決められたパラメータで常に運転する。
【００１１】
自動：対象の組立体は、コンベヤ主スイッチが操作されると、予め規定されたパラメータで運転する。
【００１２】
各組立体に対して三つの運転状態だけ設定すればよいため、フィーダの操作は、大幅に簡素化される。単一の制御要素によって、作業組立体群を纏めて特定の運転モードに設定できるという、更なる簡素化も、考えられるだろう。
【００１３】
好ましくは、作業組立体は、１つ又は複数のコンベヤ組立体、剥離機、掃除用ブラシ、散布（スプレー）システム、バイブレータ及び／又は加熱装置を含む。コンベヤベルト、搬送スクリュ、又は他の直線コンベヤは、コンベヤ組立体として設けられ得る。これら作業組立体の全ては、フィーダの搬送容量を支持する。
【００１４】
１つ又は複数の作業組立体に対する運転パラメータを、設定及び／又は変更できると、好都合である。作業組立体の始動前に、例えば、コンベヤ主スイッチの操作によって始動される前に、運転パラメータを設定できると、特に有利である。この場合、作業組立体は、選択された運転パラメータで、即座に起動され得る。運転パラメータの調節可能性や変更可能性により、変化する作業状況に適応できる。
【００１５】
個々の運転パラメータだけを設定可能にする代わりに、１つ又は様々な作業組立体の個々の運転パラメータ間の関係を直接設定可能にすると、フィーダの運転は更に便利にできる。例えば、被搬送舗装混合物の単位当たりに多少の添加剤を散布するために、散布システムの排出量をフィーダの搬送容量と関連付けながら変化させてもよい。
【００１６】
好ましくは、フィーダの制御装置は、作業組立体を運転するための運転パラメータを記憶するメモリを有する。運転パラメータは、対象作業組立体が起動される前、又は起動される際に、このメモリから読み出され得る。また、運転パラメータの値は、メモリ内で変更され得る。
【００１７】
好ましくは、１つ又は複数の作業組立体に関する運転パラメータ群は、共通運転プログラムとして、メモリに記憶され、メモリから検索されることができる。例えば、フィーダの低、中、高又は最大の搬送容量に対するプログラムは、各搬送容量に適する運転パラメータ群を記憶し、運転パラメータを互いにリンクさせることによって、記憶され得る。
【００１８】
表示フィールドが制御領域に設けられると、有利である。この表示フィールドで、オペレータに、個々の作業組立体に関する動作や運転パラメータに関する情報が示されてもよい。例えば、メニューナビゲーションが設けられ、メニューナビゲーションによって、オペレータは、対応する情報を検索できる。また、表示フィールドは、警告メッセージをオペレータに伝えてもよい。
【００１９】
本発明の有利な設計変更例では、オーバライドスイッチが設けられる。このオーバライドスイッチが操作されると、又は操作されている限り、フィーダの搬送容量は、事前に設定され得る最大値に設定される。特に、搬送容量は、可能な搬送容量の１００％に設定され得る。制御装置を適切にプログラミングすることにより、確実に、搬送容量に関わる全ての組立体が、この短期的な搬送容量の増加に関与する。
【００２０】
制御要素、例えば制御ダイヤル又はスライド制御が、制御フィールドに設けられ、該要素によって、フィーダの搬送容量が比例的に変更されることができると、更に好都合である。例えば、搬送容量は、この制御要素を用いて、特定の要因によって変更されてもよい。フィーダの制御装置により、確実に、搬送容量に関与する全ての組立体が、所望される搬送容量の変更に自動的に寄与する。
【００２１】
以下では、本発明の有利な実施形態について、図面に基づいてより詳述される。
【図面の簡単な説明】
【００２２】
【図１】本発明によるフィーダの側面図である。
【図２】フィーダの制御フィールドの図である。
【発明を実施するための形態】
【００２３】
図１は、例えば道路舗装機に、良好な粘着力を持つ、及び／又は固まり易い被搬送材料、特に高温の瀝青質のアスファルト混合物若しくは舗装用材料、コンクリート舗装材料又は砂利、砂等を供給するフィーダＢを示している。フィーダＢは、自走式であり、シャーシ２に下部走行体１と、舗装方向に見て前部に、前から若しくは上から若しくは横から充填されることができるホッパ３とを有する。シャーシ２では、コンベヤベルトＭが、材料ホッパ３で始まり後方若しくは後上方に延在し、コンベヤベルトＭは、基本的にフィーダＢの長手方向に指向され、任意には、昇降される、又は側方に枢動もされることができる。コンベヤベルトＭは、無端コンベヤ基板４を含み、該基板は、反転車５、７上の反転領域で、且つまた駆動及び支持システムにある反転領域間で支持及びガイドされる。上側反転車５は、駆動部として機能でき、例えば、クランプ装置６によって作用される。コンベヤベルトＭとクランプ装置６は、フィーダＢの作業組立体である。
【００２４】
横コンベヤＱは、材料ホッパ３に配置されることができ、これらの横コンベヤにより、被搬送材料を、下側反転車７に近いコンベヤベルトＭに導く。トラフの下に存在し、ベアリング９に支持されるドライブシャフト８を有した状態で、搬送スクリュによって、横コンベヤＱは支持されることができる。横コンベヤＱは、更なる作業組立体である。加熱装置１０、剥離機、掃除用ブラシ、散布システム及び／又はバイブレータ（図示せず）は、更なる作業組立体として材料ホッパ３内又はコンベヤベルトＭに沿って、設けられ得る。
【００２５】
例えば、制御卓の表面として、制御領域１２は、制御スタンド１１上に配設される。この制御領域１２は、図２に示されている。制御領域１２は、表示フィールド１３、例えば液晶ディスプレイを含む。表示ボタン１４は、ディスプレイ１３周りに配置される。表示ボタン１４を使用して、オペレータはディスプレイ１３上のメニューを介して、そこで特定の情報を検索するために、また異なる作業組立体Ｍ、Ｑ、５、１０に関する運転状態及び運転パラメータを選択及び設定するために、航行（ナビゲート）できる。
【００２６】
更なる制御要素、特にコンベヤ主スイッチ１５、オーバライドボタン１６、及び制御ダイヤル１７は、制御領域に設けられる。
【００２７】
以下では、本発明によるフィーダＢの運転シーケンスについて説明される。搬送工程のスイッチを入れる前に、オペレータは、まず制御領域１２を起動する。表示ボタン１４を使用して、オペレータは、個々の作業組立体Ｍ、Ｑ、５、１０の運転状態を設定する。それにより、オペレータは、各組立体について、「切」／「入」／「自動」の三つの設定中から一つを選択できる。「切」の運転状態では、対象となる作業組立体は、非起動のままとなる。「入」の運転状態では、作業組立体は常に、例えば工場で事前設定されることができる、予め規定されたパラメータで運転する。「自動」の運転状態では、組立体は、コンベヤ主スイッチ１５が操作されると、又は操作されている限り、予め設定されたパラメータで運転する。
【００２８】
作業組立体Ｍ、Ｑ、５、１０の運転パラメータを記憶するために、メモリ（図示せず）が、フィーダＢに設けられる。運転パラメータは、このメモリに記憶される。運転パラメータは、オペレータが表示ボタン１４を使用して、適切な入力を行うことによって、変更し得る。１つ又は複数の作業組立体の特定運転パラメータ群から成る完全なコンベヤのプロファイルは、既に記憶されていると考えられる。そうしたコンベヤのプロファイルは、例えば、特定の舗装混合物の特性に適合し得る。
【００２９】
オペレータは、次に、コンベヤ主スイッチ１５を操作する。その結果、予め自動モードに配置された各作業組立体Ｍ、Ｑ、５、１０は、同時に起動される。作業組立体の運転は、予め設定された運転パラメータで開始する。コンベヤ主スイッチ１５を適切に操作することによって、自動モードの全作業組立体の運転は、また同様に、同時に終了され得る。
【００３０】
＋／−ボタン１８で、フィーダＢの運転中、搬送容量を比例的に増減できる。＋／−ボタン１８が適切に操作された場合、搬送容量に関連する、該当する運転中の作業組立体の全運転パラメータは、変更された搬送容量に適合される。
【００３１】
オーバライドボタン１６により、オペレータは、起こり得る材料不足を繋ぐために、短時間搬送工程を優先させたり、又はフィーダＢの最大搬送容量にし得る。しかしながら、このようにして達成される最大搬送容量は、フィーダＢの技術的に達成可能な最大搬送容量に対応する必要はない。むしろ、実際は、オ―バライドボタン１６が操作されると、技術的に可能な搬送容量の何割かが設定され、利用され得る。オペレータがオーバライドボタン１６を解除すると直ぐに、フィーダＢの搬送容量は、予め設定された値に戻る。
【００３２】
図示した実施形態に基づいて、本発明は、様々に修正され得る。例えば、更なる作業組立体、例えば、コンベヤベルトＭを傾斜させるための設定装置を設けるることができる。下部走行体又はフィーダＢ全体の駆動部も、作業組立体として制御され得る。
【符号の説明】
【００３３】
１     下部走行体
２     シャーシ
３     ホッパ
４     無端コンベヤ基板
５     上側反転車
６     クランプ装置
７     下側反転車
８     ドライブシャフト
９     ベアリング
１０   加熱装置
１１   制御スタンド
１２   制御領域
１３   表示フィールド
１４   表示ボタン
１５   コンベヤ主スイッチ
１６   オーバライドボタン
１７   制御ダイヤル
１８   ＋／−ボタン
B      フィーダ
M      コンベヤベルト
Q      横コンベヤ
【図１】
0005620571.tif 000002
【図２】
0005620571.tif 000003